(57)【特許請求の範囲】
【請求項１】
前面に楔部を形成するとともに、左右各々の側縁から左右方向に突出する突部を形成した扉体と、
前記突部をガイドして前記扉体を上下方向に摺動可能とする縦溝を形成するとともに、前記扉体の突部が前方向に挿通可能となる切り欠きを形成した左右一対の縦枠部材を備えた戸当りと、
前記切り欠きを覆うべく、前記戸当りに着脱自在に取り付けられ、前記扉体の流路閉塞位置において前記楔部に当接して、前記扉体を後方向に押圧して止水を図る楔受け部を形成したカバー部とを備え、
前記カバー部を前記戸当りから取り外して、前記突部を前記切り欠きに挿通させることにより、前記扉体を戸当りから前方向に取り外し可能としたことを特徴とする制水扉。
【発明の詳細な説明】
【０００１】
【発明の属する技術分野】
本発明は、流路を開放、閉鎖して流量を調節する制水扉に関する。
【０００２】
【従来の技術】
図５ないし図７に、従来の制水扉（以下、従来扉という）の一例を示す。この従来扉は、下水路等に配設され、適宜開閉操作される制水用の水門である。図５は、従来扉の正面図、図６は、従来扉の一部を示す分解斜視図、図７は、扉体と戸当りとの摺動状態を示す斜視図である。
【０００３】
従来扉８０は、図５の如く、主に扉体８１と戸当り８２からなる。
戸当り８２は、上下の横枠部材８２ｂ，８２ｄが、左右の縦枠部材８２ａ，８２ａをボルトＢ，Ｂ，・・にて連結してなる窓枠状のフレーム体である。
そして、これら横枠部材８２ｂ，８２ｄ、縦枠部材８２ａ，８２ａによって形成される矩形状の開口部が水の流路となり（以下、この開口部を流路Ｆという）、図５は扉体８１が流路Ｆを閉じた状態を示している。流路Ｆの縁周りには、図６、図７に示すように、止水板８３が固着されている。
左右の縦枠部材８２ａ，８２ａの内側には、図５の如く、縦溝８２ｃ，８２ｃが形成されており、この縦溝８２ｃ，８２ｃが、扉体８１を摺動可能に支持する。
【０００４】
扉体８１は、図６及び図７に示すように、左右の両縁部８１ａ，８１ａが、前記縦枠部材８２ａ，８２ａの各々内側に形成された縦溝８２ｃ，８２ｃに嵌合しており、上方に設置された開閉機（図示せず）の作用によって上下にスライドする。扉体８１の縁周りには、前記戸当り８２側に設けられた止水板８３と密着するように止水板８４が固着されている。
【０００５】
図５の如く戸当り８２における左右の縦枠部材８２ａ，８２ａには、それぞれ楔受け部８５，８５が取り付けられており、扉体８１には、図６、図７の如く楔受け部８５，８５に対応した楔部８６，８６（図６、図７では一箇所のみ図示）が形成されている。以下、この楔部８６，８６と楔受け部８５，８５との対応関係、およびその作用について説明するが、従来扉８０は左右対称な構造であるため、図６、図７で示す右側の一部分のみの説明に止める。
【０００６】
楔受け部８５は、図６の如く縦枠部材８２ａにボルト止めされる。一方、扉体８１の側縁には、楔受け部８５に摺接して嵌合する楔部８６が取り付けられている。つまり、図７の如く扉体８１を縦溝８２ｃに沿って下降させると、楔部８６と楔受け部８５の傾斜面同士が摺接し、扉体８１が、後方に押し付けられる。その結果、前記各止水板８３、８４同士が密着し、止水が図られる。なお、図５、図７の符号Ｓで示す部材は、扉体８１のストッパである。
【０００７】
【発明が解決しようとする課題】
ところで、下水路等を形成するコンクリート壁体に制水扉８０を据え付け固定する方法は、通常、戸当り８２と、コンクリート壁体の側壁との間にモルタルを充填することにより行われる。したがって、水路に据え付けられた制水扉８０の扉体８１または止水板８４等が、長期使用により、腐食、または破損し、これらを修理、交換しようとする場合、モルタルにより固着された戸当り８２ごと取り外すのは、実質的に困難である。また、前記したように、従来の制水扉８０は、扉体８１が、戸当り８２に対して上下方向にのみ移動可能となるように取り付けられていることから、従来は、扉体８１を、縦溝８２ｃから完全に抜き取るまで、上方もしくは下方に移動させる必要があった。
【０００８】
したがって、本来、制水扉８０の上方もしくは下方に、この扉体８１を取り外せるだけの十分な空間が確保されていなければならないが、例えば、トンネル内等では、このような空間を確保できない場合もあり、そのような場所に配設した従来扉８０から、扉体８１のみを抜きとるのは非常に困難であった。
【０００９】
また、このような不都合が解消されない限り、従来扉８０の使用範囲は、狭くならざるを得ず、汎用性に欠けた。
本発明は、以上の問題点を解決することを課題としており、制水扉における扉体の取り外しを容易にし、特に、上方等に十分な空間を作ることが困難な場所に配設した場合であっても、扉体の取り外しを可能にする制水扉を提供することにある。
【００１０】
【課題を解決するための手段】
以上の課題を達成するために、本発明は、前面に楔部を形成するとともに、左右各々の側縁から左右方向に突出する突部を形成した扉体と、
前記突部をガイドして前記扉体を上下方向に摺動可能とする縦溝を形成するとともに、前記扉体の突部が前方向に挿通可能となる切り欠きを形成した左右一対の縦枠部材を備えた戸当りと、
前記切り欠きを覆うべく、前記戸当りに着脱自在に取り付けられ、前記扉体の流路閉塞位置において前記楔部に当接して、前記扉体を後方向に押圧して止水を図る楔受け部を形成したカバー部とを備え、
前記カバー部を戸当りから取り外して、前記突部を前記切り欠きに挿通させることにより、前記扉体を前記戸当りから前方向に取り外し可能としたことを特徴とする制水扉とした。
以上の手段によれば、カバー部を取り外し、扉体を前方向に移動させることによって扉体を取り外すことが可能となる。そのため、戸当りから扉体を取り外すために必要とされるスペースを少なくできる。
【００１１】
【発明の実施の形態】
本発明を、実施の形態に基づき、適宜図面を参照しながら具体的に説明する。図１は本実施の形態に係る制水扉の概略正面図である。この図１の如く、本実施の形態に係る制水扉１は、主に戸当り２と扉体３とからなり、上下水路、灌漑用水路等の流路途中に配設され、適宜開閉操作される。そして、扉体３の開閉によって、流路Ｆを開放、閉鎖し、また、この開閉量の調節によって流量調節が行われ、さらに全閉時には、流路Ｆを閉鎖止水して堤防としても機能する。
【００１２】
戸当り２は、左右の縦枠部材２１，２１を、上下の横枠部材２２，２３が連結してなり、この縦枠部材２１，２１と横枠部材２２，２３によって囲まれた内部が流路Ｆとなる。一方、扉体３は、戸当り２によってガイドされ、開閉機Ｍの作用によって上昇（同図の仮想線参照）もしくは下降して流路Ｆを開閉する。
【００１３】
図２は、図１で示す制水扉１の右側縁の一部を示す拡大分解斜視図である。また、図３は、図１で示す制水扉１の右側縁の一部を示す拡大斜視図であり、（ａ）は扉体３が戸当り２にガイドされて開閉している途中の状態を示し、（ｂ）は扉体３が流路閉塞位置にある状態を示す。この図２、図３を参照して戸当り２および扉体３を詳述する。なお、戸当り２および扉体３は、左右対称な構造となっているため、以下の説明では、特に必要な場合を除いて右側の構造のみを説明し、左側の構造説明は省略する。
【００１４】
左右の縦枠部材２１，２１（図１参照）は、図２の如く縦長である基板２１ａの前面に、縦長の鉤板２１ｃの長辺をつなぎ合わせてなる。そして、基板２１ａと鉤板２１ｃとのつなぎ合わせによって形成される内側の袋部分が、本実施の形態における縦溝４である。この縦溝４の内壁に当たる基板２１ａの箇所は、肉厚に形成され、また、この前面に青銅材等からなる止水板２４が固着されている。
【００１５】
扉体３の周縁は、肉厚に形成され、左右の側縁（図２では、右側のみ図示する）には、右方に突出した複数の突部３１，３１，・・が形成されている（図２では、一箇所のみを図示する）。この突部３１，３１，・・は、縦方向に直列に並んだ同一形状のプレート体であり、縦溝４に摺動可能に嵌まり込む。つまり、縦枠部材２１に形成された縦溝４が、この突部３１，３１，・・をガイドして扉体３を上下方向に摺動可能とする。
一方、扉体３の側縁における後面には、扉体３を取り囲むべく、止水板３２が固着されている。この止水板３２は、縦枠部材２１における止水板２４と対応関係にあり、前記止水板２４と同様に青銅材等からなる。
【００１６】
扉体３の前面に、先端鋭角を下方に向けた楔部３３が、側縁に沿って備え付けられる。一方、戸当り２の縦枠部材２１には、カバー部５が備え付けられる。このカバー部５は、縦枠部材２１の前面にボルト止めされる本体部５１と楔受け部５２とからなり、この楔受け部５２が、楔部３３と摺接嵌合する。つまり、楔受け部５２の傾斜面５２ａは、楔部３３の軌道上に位置し、楔部３３の先端鋭角と傾斜面５２ａとの傾斜角度が互いに摺接すべく対応している。
【００１７】
図３（ａ）の如く、扉体３が下降してくると、楔部３３が、楔受け部５２の傾斜面５２ａに摺接する。すると、同図（ｂ）の如く、楔部３３は、傾斜面５２ａに沿って扉体３の後方にずれ、扉板３は、後方に押圧される（同図（ｂ）の帯矢印参照）。その結果、止水板３２が止水板２４に押し付けられて密着する。つまり、扉体３が戸当り２の流路Ｆ（図１参照）を閉鎖する位置、つまり流路閉塞位置にて楔部３３と傾斜面５２ａとを摺接させることにより、流路閉塞位置での止水が可能となる。
【００１８】
ちなみに、図２、図３では、制水扉１の右側縁の一部分のみを図示するため、便宜上、この一部分に示す止水板２４、３２のみについて説明した。しかし、この止水板２４、３２は、扉体３の全周縁、および流路Ｆを取り囲む縦枠部材２１、横枠部材２２，２３にそれぞれ固着されており、各止水板２４、３２が密接することによって止水が完全なものとなる。
【００１９】
続いて、戸当り２から扉体３を取り外すための構造について説明する。縦枠部材２１に備え付けられたカバー部５の本体部５１は、図２の如く縦枠部材２１から突き出たボルト部２１ｂ，２１ｂとナット５３，５３との締結によって着脱自在に固定される。この本体部５１が当接する縦枠部材２１の前面の一部、つまり、縦溝４を形成する鉤板２１ｃの一部には、切り欠き２１ｆが形成されている。
【００２０】
突部３１は、長方形のプレート体であり、主に、その前面が縦溝４に干渉して摺動する。一方、切り欠き２１ｆは、この長方形の平板が通り抜け可能な寸法を持つ長方形である。したがって、突部３１が切り欠き２１ｆに重なると、突部３１は、切り欠き２１ｆを通って前方へ移動可能、つまり挿通可能である。この突部３１が切り欠き２１ｆと重なる扉体３の位置を取り外し位置という。
【００２１】
ちなみに、同一形状であるために説明を省略した他の突部３１，３１，・・も、前記取り外し位置にて切り欠き２１ｆ，２１ｆ，・・にそれぞれ重なっている。したがって、扉体３は、この取り外し位置で、戸当り２から取り外し可能となる。
なお、本実施の形態に係る制水扉１では、楔部３３と楔受け部５２との摺接位置が、前記取り外し位置となっている。そのため、突部３１が摺動途中で切り欠き２１ｆに引っ掛かることがなく好適である。
【００２２】
この扉体２を取り外すための構造によって奏される作用を、図４を参照しつつ説明する。図４は扉体３の取り外しを段階的に示す概略斜視図であり、（ａ）はカバー部５を縦枠部材２１から取り外した状態を示し、（ｂ）は扉体３を戸当り２から取り外すため、扉体３を縦枠部材２１の前方へ移動させている状態を示す。
扉体３を戸当り２から取り外す場合、まず、縦枠部材２１からカバー部５を取り外す（図４（ａ）の矢印Ｙ１参照）。なお、カバー部５を取り外した時、扉体３は取り外し位置にあり、扉体３の突部３１と、縦枠部材２１の切り欠き２１ｆとは重なり合う位置にある。
【００２３】
次に、扉体３を前方へ移動させて、突部３１を切り欠き２１ｆに通す（図４（ｂ）の矢印Ｙ２参照）。この移動によって、縦溝４に嵌まっていた突部３１，３１，・・が、全て切り欠き２１ｆ，２１ｆ，・・を通り抜け、扉体３が取り外される。つまり、本実施の形態によれば、カバー部５を縦枠部材２１から取り外し、かつ、突部３１と切り欠き２１ｆの重ね合わせを行って、扉体３を前方へ平行移動させるだけで、扉体３を戸当り２から簡単に取り外すことができる。
【００２４】
したがって、従来扉８０の如く、扉体３を、上方、もしくは下方へ抜きとって取り外す必要がなくなり、省スペース化が図れる。また、取り外しのための準備も非常に簡単になる。
なお、本実施の形態で示す、前方、および後方は、開閉のために移動する扉体３の上下動と垂直な方向を意味するものである。
【００２５】
【発明の効果】
本発明によれば、扉体を戸当りの前方に向けて取り外すことが可能であり、また、取り外しのために必要とされる扉体の移動量も、最小限で足りるため、省スペース化を図ることができる。
【図面の簡単な説明】
【図１】本実施の形態に係る制水扉の概略正面図である。
【図２】本実施の形態に係る制水扉の右側縁の一部を示す拡大分解斜視図である。
【図３】本実施の形態に係る制水扉の右側縁の一部を示す拡大斜視図であり、（ａ）は扉体が戸当りにガイドされて開閉している途中の状態を示し、（ｂ）は扉体が流路閉塞位置にある状態を示す。
【図４】本実施の形態に係る扉体の取り外しを段階的に示す概略斜視図であり、（ａ）はカバー部を縦枠部材から取り外した状態を示し、（ｂ）は扉体を戸当りから取り外すため、扉体を縦枠部材の前方へ移動させている状態を示す。
【図５】従来の制水扉の正面図である。
【図６】従来の制水扉の一部を示す分解斜視図である。
【図７】従来の扉体と戸当りとの摺動状態を示す斜視図である。
【符号の説明】
１：制水扉
２：戸当り
２１：縦枠部材
２１ｆ：切り欠き
２２，２３：横枠部材
２４：止水板
３：扉体
３１：突部
３２：止水板
３３：楔部
４：縦溝
５：カバー部
５１：本体部
５２：楔受け部
８０：従来の制水扉
８１：扉体
８２：戸当り
【図１】
0004042941.tif 000002
【図２】
0004042941.tif 000003
【図３】
0004042941.tif 000004
【図４】
0004042941.tif 000005
【図５】
0004042941.tif 000006
【図６】
0004042941.tif 000007
【図７】
0004042941.tif 000008